(57)【特許請求の範囲】
【請求項１】
座面部と、前記座面部から上方に向けてのびる背もたれ部とを有する椅子であって、
前記背もたれ部には、前記背もたれ部に沿って上下方向に移動自在な台座が設けられ、
前記背もたれ部は、前記座面部から前記背もたれ部の上端まで、その幅が等しく、
前記台座の幅は、前記背もたれ部の前記幅に略等しいことを特徴とする椅子。
【請求項２】
前記台座は、前記背もたれ部に着脱自在に設けられている請求項１に記載の椅子。
【請求項３】
前記台座は、前記背もたれ部から、着座した使用者の前方に向けて突出する支持部と、前記座面部からの高さを任意の位置で固定するための基部とを含む請求項１又は２に記載の椅子。
【請求項４】
前記基部には、前記背もたれ部が挿通されるガイド部が形成されている請求項３に記載の椅子。
【請求項５】
請求項１乃至４のいずれかに記載の椅子と、前記台座に取り付けられたクッションとを含むことを特徴とする組立体。
【請求項６】
前記台座は、前記台座に前記クッションが取り付けられることにより、前記座面部からの高さが任意の位置で固定される固定機構を有する請求項５に記載の組立体。
【請求項７】
前記クッションは、マッサージ機能を有する請求項５又は６に記載の組立体。
【発明の詳細な説明】
【技術分野】
【０００１】
本発明は、背もたれ部に台座が設けられた椅子及びそれを含む組立体に関する。
【背景技術】
【０００２】
従来、背もたれ部に、クッション等を取り付けるための取付部材が設けられた椅子が提案されている。例えば、下記特許文献１の椅子は、背もたれ部に取付部材が装着される。この取付部材には、クッション等を取り付けるための係止具が設けられている。クッションを係止具に取り付けることにより、背もたれ部の所定の高さにクッションが保持される。
【先行技術文献】
【特許文献】
【０００３】
【特許文献１】特開２００３−１６９８３６号公報
【発明の概要】
【発明が解決しようとする課題】
【０００４】
しかしながら、上記特許文献１では、係止具が予め定められた位置に固定されていたため、背もたれ部に対するクッションの位置を自在に調整することができないという問題があった。
【０００５】
本発明は、以上のような実状に鑑み案出されたもので、背もたれ部の任意の高さに、クッション等を取り付けることが可能な椅子及びそれを含む組立体を提供することを主たる目的としている。
【課題を解決するための手段】
【０００６】
本発明は、座面部と、前記座面部から上方に向けてのびる背もたれ部とを有する椅子であって、前記背もたれ部には、前記背もたれ部に沿って上下方向に移動自在な台座が設けられていることを特徴とする。
【０００７】
本発明に係る椅子において、前記台座は、前記背もたれ部に着脱自在に設けられているのが望ましい。
【０００８】
本発明に係る椅子において、前記背もたれ部は、前記座面部から前記背もたれ部の上端まで、その幅が等しいのが望ましい。
【０００９】
本発明に係る椅子において、前記台座の幅は、前記背もたれ部の前記幅に略等しいのが望ましい。
【００１０】
本発明に係る椅子において、前記台座は、前記背もたれ部から、着座した使用者の前方に向けて突出する支持部と、前記座面部からの高さを任意の位置で固定するための基部とを含むのが望ましい。
【００１１】
本発明に係る椅子において、前記基部には、前記背もたれ部が挿通されるガイド部が形成されているのが望ましい。
【００１２】
上述の椅子と、前記台座に取り付けられたクッションとを含むことを特徴とする組立体のが望ましい。
【００１３】
本発明に係る組立体において、前記台座は、前記台座に前記クッションが取り付けられることにより、前記座面部からの高さが任意の位置で固定される固定機構を有するのが望ましい。
【００１４】
本発明に係る組立体において、前記クッションは、マッサージ機能を有するのが望ましい。
【発明の効果】
【００１５】
本発明では、背もたれ部には、背もたれ部に沿って上下方向に移動自在な台座が設けられている。このような台座は、クッション等の所望の物品が取り付け可能であるとともに、背もたれ部の任意の位置に自在に移動させることができる。したがって、本発明の椅子は、台座に支持されたクッション等の座面部からの高さを、容易に調整することができる。
【図面の簡単な説明】
【００１６】
【図１】本発明の椅子の一実施形態を示す斜視図である。
【図２】図１の椅子の側面図である。
【図３】図１の椅子の正面図である。
【図４】台座の斜視図である。
【図５】台座の平面図である。
【図６】台座の側面図である。
【図７】椅子とクッションとを含む組立体の斜視図である。
【図８】固定機構の断面図である。
【図９】台座の位置を移動させた組立体の側面図である。
【発明を実施するための形態】
【００１７】
以下、本発明の実施の一形態が図面に基づき詳細に説明される。
図１には、本実施形態の椅子１の斜視図が示されている。図１に示されるように、本実施形態の椅子１は、床面Ｆ（図示省略）に設置される脚部２と、使用者の臀部を支持する座面部３と、座面部３の後方ｂｂ側から上方に向けてのびる背もたれ部４とを有している。
【００１８】
本明細書では、矢印ａで示されるように、床面Ｆに垂直な方向を上下方向ａとし、矢印ｂで示されるように、上下方向ａに直交する方向であって、使用者が背もたれ部４に背中をもたれるように着座したときの使用者（以下、「着座した使用者」という。）の正面側及び背面側を前後方向ｂとする。ここで、前後方向ｂのうち、座面部３の背もたれ部４側、すなわち、着座した使用者の背面側を後方ｂｂ、その反対側で、着座した使用者の正面側を前方ｂｆとする。また、矢印ｃで示されるように、上下方向ａと前後方向ｂとに直交する方向で、着座した使用者の左右側を左右方向ｃとする。さらに、左右方向ｃにおける長さを幅とする。
【００１９】
本実施形態の脚部２は、前方ｂｆに２本の前脚部２Ａを有し、後方ｂｂに背もたれ部４から連続してのびる１本の後脚部２Ｂを有している。なお、後脚部２Ｂは、２本であってもよい。
【００２０】
本実施形態の座面部３は、略矩形状である。座面部３は、例えば、前方ｂｆ側が後方ｂｂ側よりも、その幅が大きい。なお、座面部３の形状は、矩形状に限定されるものではなく、例えば、三角形状や円形状であってもよい。
【００２１】
図２には、椅子１の側面図が示されている。図２に示されるように、座面部３は、前方ｂｆ側が後方ｂｂ側よりも上方に位置するように傾斜しているのが望ましい。このような座面部３は、使用者が安定して着座することができる。
【００２２】
図３には、椅子１の正面図が示されている。図３に示されるように、本実施形態の背もたれ部４は、座面部３から背もたれ部４の上端４ａまで、その幅Ｗ１が等しい。背もたれ部４は、その上端４ａが使用者の頭部を超えた位置となるように、上方に向けてのびるのが望ましい。このような背もたれ部４は、後述するように、台座５を使用者の腰部付近から頭部付近まで移動させることができる。
【００２３】
図１及び図２に示されるように、背もたれ部４は、例えば、座面部３から上方にのびる第１背もたれ部４Ａと、第１背もたれ部４Ａから後方ｂｂ側へ傾斜する第２背もたれ部４Ｂと、第２背もたれ部４Ｂから上端４ａまでのびる第３背もたれ部４Ｃとを有している。第１背もたれ部４Ａと第３背もたれ部４Ｃとは、略平行に構成されているのが望ましい。このような背もたれ部４は、後述するように、使用者の背面に沿って、台座５を移動させることができる。なお、背もたれ部４は、座面部３から上端４ａまで、直線状に形成されていてもよい。
【００２４】
本実施形態の椅子１は、背もたれ部４の前方ｂｆ側（すなわち、座面部３側）に、背もたれ部４に沿って上下方向ａに移動自在な台座５が設けられている。台座５は、例えば、背もたれ部４の上端４ａ側から取り付けられ、背もたれ部４に着脱自在に設けられている。このような台座５は、クッション１０（図７に示す）等の所望の物品が取り付け可能であるとともに、背もたれ部４の任意の位置に自在に移動させることができる。
【００２５】
図３に示されるように、台座５の幅Ｗ２は、背もたれ部４の幅Ｗ１に略等しいのが好ましい。このような台座５は、コンパクトに構成することができ、かつ、クッション１０（図７に示す）等の所望の物品を安定した状態で支持することができる。なお、台座５の幅Ｗ２は、背もたれ部４の幅Ｗ１とは異なるものであってもよい。
【００２６】
図４には、台座５の斜視図が示されており、図５には、台座５の平面図が示されている。図４及び図５に示されるように、本実施形態の台座５は、所望の物品を支持する支持部６と、背もたれ部４が挿通されかつ台座５を背もたれ部４の任意の位置に固定する基部７とを含んでいる。
【００２７】
本実施形態の支持部６は、背もたれ部４から前方ｂｆに向けて突出しており、その上面に所望の物品を載せることができる。支持部６は、例えば、左右方向ｃに一対の第１支持部６Ａと、両第１支持部６Ａを連結する第２支持部６Ｂとを含んでいる。
【００２８】
図６には、台座５の側面図が示されている。図６に示されるように、第１支持部６Ａは、例えば、上面が円弧状に湾曲した形状を有している。第１支持部６Ａの前方ｂｆ側及び後方ｂｂ側の上面位置は、第１支持部６Ａの中央部の上面位置よりも上方であるのが望ましい。このような第１支持部６Ａは、所望の物品を、安定した状態で支持することができる。
【００２９】
図５に示されるように、第２支持部６Ｂは、例えば、中央部が後方側に凹むように円弧状に湾曲した形状を有している。このような第２支持部６Ｂは、使用者に接することが少なく、使用者に違和感を生じさせない。
【００３０】
本実施形態の基部７は、例えば、左右方向ｃに一対の第１基部７Ａと、両第１基部７Ａを連結する第２基部７Ｂとを含んでいる。各第１基部７Ａは、それぞれ、平面視で略コ字状に形成されている。第１基部７Ａの幅Ｗ３は、第１支持部６Ａの幅Ｗ４に等しいのが好ましい。第１基部７Ａと第１支持部６Ａとは、連続して形成されるのが望ましい。
【００３１】
図４に示されるように、第１基部７Ａには、例えば、背もたれ部４が移動自在に挿通される上下方向ａにのびた溝形状のガイド部８が形成されている。ガイド部８は、上方側に上側開口部８Ａを有し、下方側に下側開口部８Ｂを有している。このようなガイド部８は、背もたれ部４への取り付けが容易であるとともに、後述するように、台座５の座面部３（図１に示す）からの高さを、任意の位置に容易に調整することができる。
【００３２】
第２基部７Ｂは、例えば、上下方向ａにのびる複数のリブ９が設けられている。このような第２基部７Ｂは、強度と軽量化とを両立することができる。また、リブ９は、背もたれ部４と第２基部７Ｂとの接触面積を低減させ得る。このため、後述するように、台座５は、背もたれ部４に対する移動が容易に行われ得る。このような支持部６及び基部７を有する台座５は、構造が単純であり、故障や破損のおそれが少ない。
【００３３】
図７には、椅子１とクッション１０とを含む組立体１１の斜視図が示される。図７に示されるように、本実施形態のクッション１０は、台座５の支持部６の上に取り付けられる。台座５は、例えば、台座５にクッション１０が取り付けられることにより、座面部３からの高さが任意の位置で固定される固定機構１２を有している。このような椅子１は、台座５に支持されたクッション１０等の座面部３からの高さを、容易に調整することができる。
【００３４】
図８には、固定機構１２の断面図が示されている。図４及び図８に示されるように、本実施形態の固定機構１２は、ガイド部８により構成される。固定機構１２は、上側開口部８Ａの後方ｂｂ側のエッジ８Ａｂと下側開口部８Ｂの前方ｂｆ側のエッジ８Ｂｆとにより構成されるのが望ましい。上側開口部８Ａの後方ｂｂ側のエッジ８Ａｂ及び下側開口部８Ｂの前方ｂｆ側のエッジ８Ｂｆは、それぞれ、背もたれ部４に向けて鋭角に突出するように形成されているのが望ましい。本実施形態では、この固定機構１２と、背もたれ部４との摩擦力とを用いて、台座５の位置を固定している。
【００３５】
すなわち、台座５には、台座５にクッション１０が取り付けられることにより、支持部６に下向きの力ｆが作用する。このとき、台座５には、基部７を中心に回転させるモーメントが作用する。すると、台座５のガイド部８は、背もたれ部４に対して傾斜する。このため、台座５は、基部７の上側開口部８Ａの後方ｂｂ側のエッジ８Ａｂ及び下側開口部８Ｂの前方ｂｆ側のエッジ８Ｂｆと、背もたれ部４との摩擦力が大きくなり、上下方向ａの位置が固定され得る。
【００３６】
一方、台座５のガイド部８と背もたれ部４とが接触しない状態となったとき、台座５が上下方向ａに移動自在となる。このため、台座５からクッション１０を取り外すことで、クッション１０が所定の高さとなるように台座５の上下方向ａの位置を変更し、台座５にクッション１０を取り付けることで、その高さを固定することができる。本実施形態の固定機構１２は、上述の機能を有しているので、台座５の座面部３からの高さを任意の位置に無段階で容易に調整することができる。
【００３７】
なお、固定機構１２は、例えば、凹凸構造を用いて、台座５を有段階で固定してもよい。このような固定機構１２は、台座５の上下方向ａの位置をより確実に固定することができる。
【００３８】
図９には、台座５の位置を移動させた組立体１１の側面図が示されている。図９に示されるように、台座５は、椅子１の座面部３に接する位置まで下げることができる。本実施形態の椅子１は、台座５をこの位置まで下げることで、クッション１０を使用者の腰部付近に当接させることができる。また、この椅子１は、台座５をこの位置まで下げることで、例えば、クッション１０を取り付けない場合でも、台座５を取り外すことなく、通常の椅子として使用することができる。なお、図示は省略されるが、この椅子１は、台座５を、背もたれ部４の上端４ａ近傍まで移動させることで、クッション１０を使用者の頭部付近に当接させることができる。
【００３９】
図７及び図９に示されるように、クッション１０は、マッサージ機構を有しているのが望ましい。このようなクッション１０は、使用者の任意の部位をマッサージすることができる。このような組立体１１は、台座５の座面部３からの高さが容易に調整され得るので、マッサージする部位を容易に調整することができる。
【００４０】
なお、上述の実施形態の台座５は、クッション１０を取り付けるために用いられていたが、例えば、支持部６を背もたれ部４の後方ｂｂに向けて背もたれ部４に取り付けることもできる。このとき、第２支持部６Ｂには、例えば、ハンガーや傘等がかけられ、下向きの力ｆが作用することで、その高さが固定される。
【００４１】
以上、本発明の特に好ましい実施形態について詳述したが、本発明は、上述の実施形態に限定されることなく、種々の態様に変形して実施し得る。
【符号の説明】
【００４２】
１    椅子
３    座面部
４    背もたれ部
５    台座
【図１】
0006475659.tif 000002
【図２】
0006475659.tif 000003
【図３】
0006475659.tif 000004
【図４】
0006475659.tif 000005
【図５】
0006475659.tif 000006
【図６】
0006475659.tif 000007
【図７】
0006475659.tif 000008
【図８】
0006475659.tif 000009
【図９】
0006475659.tif 000010